【手続補正書】
【提出日】平成16年6月2日(2004.6.2)
【手続補正１】
【補正対象書類名】明細書
【補正対象項目名】特許請求の範囲
【補正方法】変更
【補正の内容】
【特許請求の範囲】
【請求項１】
ガラスバルブの一端に一方の電極マウントを封止し、前記ガラスバルブの他端を封止してなる前記ガラスバルブに、前記一方の電極マウントの位置から所定位置に他方の電極マウントを載置し、前記他方の電極マウントと前記ガラスバルブの他端との間に水銀放出構体を載置し、前記水銀構体の加熱による水銀放出後に前記他方の電極マウントを前記ガラスバルブに封止し、前記ガラスバルブの不要部分を切断してなる蛍光放電管において、前記水銀放出構体は、ニッケル、チタン、タンタル等の一種又は複数種の金属粉末と鉄を主体とした磁性粉末との混合粉末を焼結した金属焼結体と、水銀と前記金属焼結体とを加熱処理により化合させたもので構成されてなり、前記ガラスバルブの外部より前記ガラスバルブ内の水銀放出構体を磁石により移動させてなる蛍光放電管。
【請求項２】
ガラスバルブの一端に一方の電極マウントを封止し、前記ガラスバルブの他端を封止してなる前記ガラスバルブに、前記一方の電極マウントの位置から所定位置に他方の電極マウントを載置し、前記他方の電極マウントと前記ガラスバルブの他端との間に水銀放出構体を載置し、前記水銀構体の加熱による水銀放出後に前記他方の電極マウントを前記ガラスバルブに封止し、前記ガラスバルブの不要部分を切断してなる蛍光放電管において、前記水銀放出構体は、ニッケル、チタン、タンタル等の一種又は複数種の金属粉末と鉄を主体とした磁性粉末との混合粉末を焼結した金属焼結体と、水銀と前記金属焼結体とを加熱処理により化合させたもので構成されてなり、前記ガラスバルブの外部より前記ガラスバルブ内の水銀放出構体を磁石により移動させてなる蛍光放電管の水銀放出構体。
【請求項３】
ガラスバルブの一端に一方の電極マウントを封止し、前記ガラスバルブの他端を封止してなる前記ガラスバルブに、前記一方の電極マウントの位置から所定位置に他方の電極マウントを載置し、前記他方の電極マウントと前記ガラスバルブの他端との間に水銀放出構体を載置し、前記水銀構体の加熱による水銀放出後に前記他方の電極マウントを前記ガラスバルブに封止し、前記ガラスバルブの不要部分を切断してなる蛍光放電管の製造方法において、前記水銀放出構体は、ニッケル、チタン、タンタル等の一種又は複数種の金属粉末と鉄を主体とした磁性粉末との混合粉末を焼結した金属焼結体と、水銀と前記金属焼結体とを加熱処理により化合させたもので構成されてなり、前記ガラスバルブの外部より前記ガラスバルブ内の水銀放出構体を磁石により移動させてなる蛍光放電管の製造方法。
【手続補正２】
【補正対象書類名】明細書
【補正対象項目名】０００９
【補正方法】変更
【補正の内容】
【０００９】
【課題を解決するための手段】
上記目的を達成するために、本発明の蛍光放電管の使用に適合した水銀放出構体は、蛍光放電管のガラスバルブ内に内挿できる寸法で固め焼結した金属焼結体に鉄を主成分とした磁性材粉末を混入し、これと化合する水銀とから構成され、ガラスバルブ内に内挿したときに、その定位置での載置を磁石で移動可能にしたものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
【発明の実施の形態】
本発明の請求項１に記載の発明は、ガラスバルブの一端に一方の電極マウントを封止し、前記ガラスバルブの他端を封止してなる前記ガラスバルブに、前記一方の電極マウントの位置から所定位置に他方の電極マウントを載置し、前記他方の電極マウントと前記ガラスバルブの他端との間に水銀放出構体を載置し、前記水銀構体の加熱による水銀放出後に前記他方の電極マウントを前記ガラスバルブに封止し、前記ガラスバルブの不要部分を切断してなる蛍光放電管において、前記水銀放出構体は、ニッケル、チタン、タンタル等の一種又は複数種の金属粉末と鉄を主体とした磁性粉末との混合粉末を焼結した金属焼結体と、水銀と前記金属焼結体とを加熱処理により化合させたもので構成されてなり、前記ガラスバルブの外部より前記ガラスバルブ内の水銀放出構体を磁石により移動させてなる蛍光放電管であり、予めガラスバルブに内挿できる寸法に構成しているので、バルブに内挿できる寸法に切断する加工処理が不要になり、且つ磁性材料を混入しているので水銀放出構体を移動させることが容易になる。
【手続補正８】
【補正対象書類名】明細書
【補正対象項目名】００１５
【補正方法】変更
【補正の内容】
【００１５】
本発明の請求項２に記載の発明は、ガラスバルブの一端に一方の電極マウントを封止し、前記ガラスバルブの他端を封止してなる前記ガラスバルブに、前記一方の電極マウントの位置から所定位置に他方の電極マウントを載置し、前記他方の電極マウントと前記ガラスバルブの他端との間に水銀放出構体を載置し、前記水銀構体の加熱による水銀放出後に前記他方の電極マウントを前記ガラスバルブに封止し、前記ガラスバルブの不要部分を切断してなる蛍光放電管において、前記水銀放出構体は、ニッケル、チタン、タンタル等の一種又は複数種の金属粉末と鉄を主体とした磁性粉末との混合粉末を焼結した金属焼結体と、水銀と前記金属焼結体とを加熱処理により化合させたもので構成されてなり、前記ガラスバルブの外部より前記ガラスバルブ内の水銀放出構体を磁石により移動させてなる蛍光放電管の水銀放出構体であり、予めガラスバルブに内挿できる寸法に構成しているので、バルブに内挿できる寸法に切断する加工処理が不要になり、且つ磁性材料を混入しているので水銀放出構体を移動させることが容易になる。
【手続補正９】
【補正対象書類名】明細書
【補正対象項目名】００１６
【補正方法】変更
【補正の内容】
【００１６】
本発明の請求項３に記載の発明は、ガラスバルブの一端に一方の電極マウントを封止し、前記ガラスバルブの他端を封止してなる前記ガラスバルブに、前記一方の電極マウントの位置から所定位置に他方の電極マウントを載置し、前記他方の電極マウントと前記ガラスバルブの他端との間に水銀放出構体を載置し、前記水銀構体の加熱による水銀放出後に前記他方の電極マウントを前記ガラスバルブに封止し、前記ガラスバルブの不要部分を切断してなる蛍光放電管の製造方法において、前記水銀放出構体は、ニッケル、チタン、タンタル等の一種又は複数種の金属粉末と鉄を主体とした磁性粉末との混合粉末を焼結した金属焼結体と、水銀と前記金属焼結体とを加熱処理により化合させたもので構成されてなり、前記ガラスバルブの外部より前記ガラスバルブ内の水銀放出構体を磁石により移動させてなる蛍光放電管の製造方法であり、予めガラスバルブに内挿できる寸法に構成しているので、バルブに内挿できる寸法に切断する加工処理が不要になり、且つ磁性材料を混入しているので水銀放出構体を移動させることが容易になる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】